(57)【要約】【課題】光源の特性を識別する精度の向上を図る。【解決手段】第１制御部１１は、起動時において、各光源１０Ａ〜１０Ｃに直列接続されるスイッチ素子１３Ａ〜１３Ｃを順番にオンする。故に、光源装置(光源ユニット１)及び点灯装置(電源ユニット２)は、スイッチ素子１３Ａ〜１３Ｃのオン、オフのパターンに起因した電圧変化で光源の特性を伝達する。その結果、従来例と比較して、光源１０Ａ〜１０Ｃの特性を識別する精度の向上を図ることができる。【選択図】        図１
2015170533.tif 000002
【特許請求の範囲】
【請求項１】
１乃至複数の光源部と、前記光源部に直列に接続される１乃至複数のスイッチ素子と、前記スイッチ素子をオン及びオフする第１制御部とを備え、
前記光源部は、１乃至複数個の固体発光素子を有し、
前記第１制御部は、前記光源部に印加される直流電圧が所定のしきい値を超えた後、前記光源部の特性に対応した所定の順序で前記スイッチ素子をオン及びオフするように構成されることを特徴とする光源装置。
【請求項２】
前記第１制御部は、前記順序で前記スイッチ素子をオン及びオフすることにより、前記光源部の特性に関する複数の情報を外部に出力するように構成されることを特徴とする請求項１記載の光源装置。
【請求項３】
前記第１制御部は、前記情報として、前記光源部の個数と、前記各光源部の定格電流値とを外部に出力するように構成されることを特徴とする請求項２記載の光源装置。
【請求項４】
電源部と、第２制御部とを備え、
前記電源部は、請求項１〜３の光源装置と電気的に接続されるように構成され、
さらに、前記電源部は、直流の出力電圧及び出力電流を可変とするように構成され、
前記第２制御部は、前記電源部を制御して、前記出力電圧及び前記出力電流を調整するように構成され、
さらに、前記第２制御部は、前記光源装置に印加される直流電圧が前記しきい値を超えた後、前記光源装置に印加される直流電圧の電圧レベルの変化に基づいて、前記光源装置の前記光源部の特性を知るように構成されることを特徴とする点灯装置。
【請求項５】
前記第２制御部は、前記光源部の特性が不適合であると判断した場合、前記電源部を制御して前記出力電圧及び出力電流を減少又は停止するように構成されることを特徴とする請求項４記載の点灯装置。
【請求項６】
請求項１〜３の光源装置と、請求項４又は５の点灯装置と、前記光源装置及び前記点灯装置を支持する器具本体とを備えることを特徴とする照明器具。
【発明の詳細な説明】
【技術分野】
【０００１】
本発明は、光源を有する光源装置、及び光源装置に給電して光源を点灯する点灯装置、並びに光源装置と点灯装置を用いる照明器具に関する。
【背景技術】
【０００２】
従来例として、特許文献１記載の照明装置を例示する。特許文献１記載の従来例は、１乃至複数個の発光素子が任意に配列された照明ヘッド(光源装置)と、照明ヘッドに給電する電源装置(点灯装置)とを備える。
【０００３】
照明ヘッドは、発光素子の個数違いにより定格電流値が異なる複数種類の照明ヘッドを含んでいる。これら複数種類の照明ヘッドには、識別抵抗が設けられている。この識別抵抗は、各照明ヘッドの定格電流値に対応した抵抗値を有する。
【０００４】
電源装置は、識別抵抗の抵抗値を検知することにより、出力端子に接続される照明ヘッドの種類(定格電流値)を判断し、その判断結果に応じて、出力電流を調整するように構成される。
【０００５】
すなわち、特許文献１記載の従来例では、照明ヘッドの特性(定格電流値)に関わらず、同一の電源装置を用いて、各照明ヘッドの発光素子を定格電流で点灯することができる。
【先行技術文献】
【特許文献】
【０００６】
【特許文献１】特開２００５−９３１９６号公報
【発明の概要】
【発明が解決しようとする課題】
【０００７】
しかしながら、特許文献１記載の従来例では、照明ヘッド(光源装置)の種類が増えるにつれて、識別抵抗の抵抗値を検知する精度を高くしなければならない。しかも、複数種類の照明ヘッドの特性が、定格電流値だけでなく、発光色や色温度なども異なる場合、識別抵抗の抵抗値のみでは識別が困難である。
【０００８】
本発明は、上記課題に鑑みて為されたものであり、光源の特性を識別する精度の向上を図ることを目的とする。
【課題を解決するための手段】
【０００９】
本発明の光源装置は、１乃至複数の光源部と、前記光源部に直列に接続される１乃至複数のスイッチ素子と、前記スイッチ素子をオン及びオフする第１制御部とを備える。前記光源部は、１乃至複数個の固体発光素子を有する。前記第１制御部は、前記光源部に印加される直流電圧が所定のしきい値を超えた後、前記光源部の特性に対応した所定の順序で前記スイッチ素子をオン及びオフするように構成される。
【００１０】
この光源装置において、前記第１制御部は、前記順序で前記スイッチ素子をオン及びオフすることにより、前記光源部の特性に関する複数の情報を外部に出力するように構成されることが好ましい。
【００１１】
この光源装置において、前記第１制御部は、前記情報として、前記光源部の個数と、前記各光源部の定格電流値とを外部に出力するように構成されることが好ましい。
【００１２】
本発明の点灯装置は、電源部と、第２制御部とを備える。前記電源部は、前記光源装置と電気的に接続されるように構成される。さらに、前記電源部は、直流の出力電圧及び出力電流を可変とするように構成される。前記第２制御部は、前記電源部を制御して、前記出力電圧及び前記出力電流を調整するように構成される。さらに、前記第２制御部は、前記光源装置に印加される直流電圧が前記しきい値を超えた後、前記光源装置に印加される直流電圧の電圧レベルの変化に基づいて、前記光源装置の前記光源部の特性を知るように構成される。
【００１３】
この点灯装置において、前記第２制御部は、前記光源部の特性が不適合であると判断した場合、前記電源部を制御して前記出力電圧及び出力電流を減少又は停止するように構成されることが好ましい。
【００１４】
本発明の照明器具は、前記光源装置と、前記点灯装置と、前記光源装置及び前記点灯装置を支持する器具本体とを備えることを特徴とする。
【発明の効果】
【００１５】
本発明の光源装置及び点灯装置、照明器具は、スイッチ素子のオン、オフのパターンに起因した電圧変化で光源の特性を伝達するように構成される。そのため、本発明の光源装置及び点灯装置、照明器具は、従来例と比較して、光源の特性を識別する精度の向上を図ることができるという効果がある。
【図面の簡単な説明】
【００１６】
【図１】本発明に係る光源装置の実施形態(光源ユニット)及び点灯装置の実施形態(電源ユニット)を示す回路構成図である。
【図２】同上の定常時の動作を説明するためのタイムチャートである。
【図３】同上の起動時の動作を説明するためのタイムチャートである。
【図４】同上の起動時の動作を説明するためのタイムチャートである。
【図５】同上の起動時の動作を説明するためのタイムチャートである。
【図６】本発明に係る照明器具の実施形態を示す断面図である。
【発明を実施するための形態】
【００１７】
以下、本発明に係る光源装置及び点灯装置、照明器具の実施形態について、図面を参照して詳細に説明する。
【００１８】
本実施形態の光源装置(光源ユニット１)は、図１に示すように複数(図示例では３つ)の光源１０Ａ，１０Ｂ、１０Ｃと、回路部とを有する。光源１０Ａは、固体発光素子である複数個(図示例では４個)の発光ダイオード１００Ａ〜１０３Ａの直列回路(ＬＥＤアレイ１０４Ａ)と、ＬＥＤアレイ１０４Ａに並列接続される抵抗１０５Ａとで構成される。また、光源１０Ｂは、複数の発光ダイオード１００Ｂ〜１０３Ｂの直列回路からなるＬＥＤアレイ１０４Ｂと、ＬＥＤアレイ１０４Ｂに並列接続される抵抗１０５Ｂとで構成される。同様に、光源１０Ｃは、複数の発光ダイオード１００Ｃ〜１０３Ｃの直列回路からなるＬＥＤアレイ１０４Ｃと、ＬＥＤアレイ１０４Ｃに並列接続される抵抗１０５Ｃとで構成される。なお、以下の説明では、光源１０Ａを第１光源、光源１０Ｂを第２光源、光源１０Ｃを第３光源と呼称する。
【００１９】
また、回路部は、第１制御部１１、制御電源回路１２、スイッチ素子１３Ａ，１３Ｂ，１３Ｃ、抵抗１４、電圧検知回路１５などで構成される。なお、回路部は、高電位側の第１端子４と低電位側の第２端子５とを介して、点灯装置(電源ユニット２)に電気的に接続される。
【００２０】
第１端子４には、各光源１０Ａ〜１０Ｃの正極(発光ダイオード１０３Ａ〜１０３Ｃのアノード)が接続される。また、第２端子５には、各光源１０Ａ〜１０Ｃの負極(発光ダイオード１００Ａ〜１００Ｃのカソード)が接続される。また、スイッチ素子１３Ａ〜１３Ｃは、ｎチャネル型の電界効果トランジスタで構成される。各スイッチ素子１３Ａ〜１３Ｃは、第２端子５にソースが接続される。また、スイッチ素子(第１スイッチ素子)１３Ａは、第１光源１０Ａの負極にドレインが接続され、第１制御部１１にゲートが接続される。さらに、スイッチ素子(第２スイッチ素子)１３Ｂは、第２光源１０Ｂの負極にドレインが接続され、第１制御部１１にゲートが接続される。同様に、スイッチ素子(第３スイッチ素子)１３Ｃは、第３光源１０Ｃの負極にドレインが接続され、第１制御部１１にゲートが接続される。
、第１制御部１１は、ＭＰＵ(Micro-Processing Unit)で構成され、複数の出力ポートに各スイッチ素子１３Ａ〜１３Ｃのゲートが各別に接続される。すなわち、第１制御部１１は、内蔵メモリに格納されているプログラムを実行し、各出力ポートから駆動信号を出力することで各スイッチ素子１３Ａ〜１３Ｃを各別にオンするように構成される。
【００２１】
制御電源回路１２は、図示しない定電圧レギュレータＩＣを主構成要素とし、第１制御部１１の動作用電源として所定の定電圧を生成するように構成される。抵抗１４は、各光源１０Ａ〜１０Ｃの負極と第２端子５との間に挿入される。第１制御部１１は、抵抗１４の両端電圧に基づいて、電源ユニット２の出力電流Ｉ２(の大きさ)を検知するように構成される。
【００２２】
電圧検知回路１５は、第１端子４と第２端子５の間に直列接続される抵抗分圧回路で構成される。すなわち、電圧検知回路１５は、第１端子４と第２端子５の間に印加される入力電圧(電源ユニット２の出力電圧Ｖ２)に比例した検知電圧を第１制御部１１に出力するように構成される。
【００２３】
電源ユニット２は、図１に示すように、第２制御部２０、ノイズフィルタ２１、全波整流回路２２、力率改善回路２３、直流コンバータ回路２４、電圧検知回路２５、制御電源回路２６、平滑コンデンサ２７，２８などを備える。
【００２４】
ノイズフィルタ２１は、交流電源３から供給される交流電圧・交流電流に含まれる高調波ノイズを除去するように構成される。全波整流器２２は、例えば、ダイオードブリッジからなり、ノイズフィルタ２１を介して入力される交流電圧・交流電流を全波整流するように構成される。
【００２５】
力率改善回路２３は、従来周知の昇圧チョッパ回路からなり、全波整流回路２２から出力される脈流電圧を所望の直流電圧Ｖ１に昇圧して出力するように構成される。
【００２６】
直流コンバータ回路２４は、従来周知の降圧チョッパ回路からなり、力率改善回路２３から出力されて平滑コンデンサ２７で平滑される直流電圧Ｖ１を降圧するように構成される。直流コンバータ回路２４の出力端間に平滑コンデンサ２８が接続され、平滑コンデンサ２８で平滑される直流電圧(以下、出力電圧と呼ぶ。)Ｖ２(＜Ｖ１)が第１端子４及び第２端子５を介して光源ユニット１に供給される。
【００２７】
第１端子４は、直流コンバータ回路２４の高電位側の出力端及び平滑コンデンサ２８の高電位側の一端と接続される。第２端子５は、直流コンバータ回路２４の低電位側の出力端及び平滑コンデンサ２８の低電位側の一端と接続される。
【００２８】
第２制御部２０は、力率改善回路２３と直流コンバータ回路２４をそれぞれ独立して制御するように構成される。ただし、第２制御部２０は、力率改善回路２３を制御する集積回路と、直流コンバータ回路２４を制御する集積回路と、これら２つの集積回路を制御する集積回路とで構成されても構わない。
【００２９】
電圧検知回路２５は、平滑コンデンサ２８に並列に接続される抵抗分圧回路で構成される。すなわち、電圧検知回路２５は、平滑コンデンサ２８の両端電圧(電源ユニット２の出力電圧Ｖ２)に比例した検知電圧を第２制御部２０に出力するように構成される。
【００３０】
第２制御部２０は、力率改善回路２３をフィードバック制御することで直流電圧Ｖ１を所定の目標値に一致させるように構成される。また、第２制御部２０は、直流コンバータ回路２４をフィードバック制御することで出力電圧Ｖ２を所定値に一致させるように構成される。さらに、第２制御部２０は、調光信号で指示される調光レベルに対応して直流コンバータ回路２４を間欠的に動作させることにより、パースト調光を行うように構成される。なお、バースト調光とは、光源１０Ａ〜１０Ｃへの通電を所定のバースト周期で周期的にオン・オフし、通電期間の比率(オンデューティ比)を変化させることによって、各光源１０Ａ〜１０Ｃの光量を調整(調光)する調光方式である。
【００３１】
次に、図２のタイムチャートを参照して、本実施形態の光源ユニット１及び電源ユニット２の定常(安定点灯)時の動作を説明する。ただし、図２における電流Ｉ２は、電源ユニット２の出力電流を示している(図１参照)。
【００３２】
電源ユニット２の第２制御部２０は、調光信号の指示内容に対応したオンデューティ比(バースト周期Ｔ０に対する動作期間Ｔ１の割合)で直流コンバータ回路２４を間欠的に動作させる。光源ユニット１の第１制御部１１は、直流コンバータ回路２４の停止中において、電流Ｉ２が所定値以下に減少したことを検知すると、第１スイッチ素子１３Ａのみをオンさせる(時間ｔ＝ｔ０)。なお、直流コンバータ回路２４の停止中においても、停止前に平滑コンデンサ２８に充電された電荷が放電されることにより、出力電流Ｉ２が光源ユニット１に供給され続ける。
【００３３】
第２制御部２０は、休止期間が終了すると、直流コンバータ回路２４を動作させる(時間ｔ＝ｔ１)。直流コンバータ回路２４が動作して電流Ｉ２が出力されると、平滑コンデンサ２８の両端電圧(出力電圧Ｖ２)が、第１スイッチ素子１３Ａに直列接続されている第１光源１０Ａの順方向電圧ＶＡまで上昇する。
【００３４】
第２制御部２０は、直流コンバータ回路２４を動作させた時点(時間ｔ＝ｔ０)から、第１光源１０Ａに対応する動作期間(第１動作期間ＴＡ)が経過した時点(時間ｔ＝ｔ２)において、直流コンバータ回路２４を停止し、第１光源１０Ａに対応した休止期間のカウントを開始する。
【００３５】
光源ユニット１の第１制御部１１は、前記休止期間において、電流Ｉ２が所定値以下に減少したことを検知すると、第２スイッチ素子１３Ｂのみをオンさせる(時間ｔ＝ｔ３)。
【００３６】
第２制御部２０は、前記休止期間が終了すると、直流コンバータ回路２４を動作させる(時間ｔ＝ｔ４)。直流コンバータ回路２４が動作して電流Ｉ２が出力されると、出力電圧Ｖ２が、第２スイッチ素子１３Ｂに直列接続されている第２光源１０Ｂの順方向電圧ＶＢまで上昇する。
【００３７】
第２制御部２０は、直流コンバータ回路２４を動作させた時点(時間ｔ＝ｔ４)から、第２光源１０Ｂに対応する動作期間(第２動作期間ＴＢ)が経過した時点(時間ｔ＝ｔ５)において、直流コンバータ回路２４を停止し、第２光源１０Ｂに対応した休止期間のカウントを開始する。
【００３８】
光源ユニット１の第１制御部１１は、前記休止期間において、電流Ｉ２が所定値以下に減少したことを検知すると、第３スイッチ素子１３Ｃのみをオンさせる(時間ｔ＝ｔ６)。
【００３９】
第２制御部２０は、前記休止期間が終了すると、直流コンバータ回路２４を動作させる(時間ｔ＝ｔ７)。直流コンバータ回路２４が動作して電流Ｉ２が出力されると、出力電圧Ｖ２が、第３スイッチ素子１３Ｃに直列接続されている第３光源１０Ｃの順方向電圧ＶＣまで上昇する。
【００４０】
第２制御部２０は、直流コンバータ回路２４を動作させた時点(時間ｔ＝ｔ７)から、第３光源１０Ｃに対応する動作期間(第３動作期間ＴＣ)が経過した時点(時間ｔ＝ｔ８)において、直流コンバータ回路２４を停止し、第３光源１０Ｃに対応した休止期間のカウントを開始する。
【００４１】
第１制御部１１は、上述のように所定の周期(以下、スイッチサイクルと呼ぶ。)で３つのスイッチ素子１３Ａ〜１３Ｃを順番且つ択一的にオンさせる。ここで、３つの光源１０Ａ〜１０Ｃの光色が互いに異なる場合、各光源１０Ａ〜１０Ｃの動作期間ＴＡ，ＴＢ，ＴＣの割合に応じて、光源ユニット１から照明空間に照射される光(照明光)の色及び光量が調整(調色及び調光)可能となる。ただし、前記スイッチサイクルは、光源１０Ａ〜１０Ｃの切り換わりが知覚され難くなるように、１／１２０秒から１／１０００秒までの範囲に設定されることが好ましい。なお、第１制御部１１は、３つの光源１０Ａ〜１０Ｃをサイクリックに順次点灯させるだけでなく、何れか１つの光源１０Ａ〜１０Ｃのみを点灯させるか、若しくは何れか２つの光源１０Ａ〜１０Ｃを交互に点灯させても構わない。
【００４２】
次に、図３のタイムチャートを参照して、本実施形態の光源ユニット１及び電源ユニット２の特徴となる動作を説明する。
【００４３】
時間ｔ＝ｔ０に交流電源３から電源ユニット２に給電されると、平滑コンデンサ２７が電源電圧のピーク電圧(実効値が１００ボルトの場合は約１４１ボルト)まで充電される。また、制御電源回路２６が起動して第２制御部２０に制御電源を給電するので、第２制御部２０が起動される。平滑コンデンサ２８は、時間ｔ＝ｔ０の時点における光源ユニット１のインピーダンスで決まる電圧Ｖk1まで充電される。
【００４４】
出力電圧Ｖ２が上昇し、光源ユニット１の制御電源回路１２が制御電源を供給可能になれば、第１制御部１１が起動する(時間ｔ＝ｔ１)。第１制御部１１は、動作が安定したら、電源ユニット２の第２制御部２０へ識別情報を伝送するための処理(プログラム)を開始する。なお、第２制御部２０は、前記識別情報の伝送処理が終了するまでの間、力率改善回路２３及び直流コンバータ回路２４を動作させない。
【００４５】
まず、第１制御部１１は、時間ｔ＝ｔ２に第１スイッチ素子１３Ａのみをオンする。第１スイッチ素子１３Ａがオンすると、第１光源１０Ａの抵抗１０５Ａに電流が流れて光源ユニット１のインピーダンスが低下する。その結果、電源ユニット２の出力電圧Ｖ２も、電圧Ｖk1から電圧Ｖk2に低下する。第２制御部２０は、電圧検知回路２５で直流コンバータ回路２４の出力電圧Ｖ２(平滑コンデンサ２８の両端電圧)を検知しており、出力電圧Ｖ２が電圧Ｖk1から電圧Ｖk2に低下したことを内蔵メモリ(図示せず)に記憶する。
【００４６】
第１制御部１１は、時間ｔ＝ｔ３に第１スイッチ素子１３Ａをオンしたまま、第２スイッチ素子１３Ｂをオンする。第２スイッチ素子１３Ｂがオンすると、第１光源１０Ａの抵抗１０５Ａだけでなく、第２光源１０Ｂの抵抗１０５Ｂにも電流が流れて光源ユニット１のインピーダンスがさらに低下する。その結果、電源ユニット２の出力電圧Ｖ２も、電圧Ｖk2から電圧Ｖk3に低下する。第２制御部２０は、電圧検知回路２５で出力電圧Ｖ２が電圧Ｖk2から電圧Ｖk3に低下したことを検知して内蔵メモリに記憶する。
【００４７】
第１制御部１１は、時間ｔ＝ｔ４に第１スイッチ素子１３Ａ及び第２スイッチ素子１３Ｂをオンしたまま、第３スイッチ素子１３Ｃをオンする。第３スイッチ素子１３Ｃがオンすると、第１光源１０Ａの抵抗１０５Ａ及び第２光源１０Ｂの抵抗１０５Ｂだけでなく、第３光源１０Ｃの抵抗１０５Ｃにも電流が流れて光源ユニット１のインピーダンスがさらに低下する。その結果、電源ユニット２の出力電圧Ｖ２も、電圧Ｖk3から電圧Ｖk4に低下する。第２制御部２０は、電圧検知回路２５で出力電圧Ｖ２が電圧Ｖk3から電圧Ｖk4に低下したことを検知して内蔵メモリに記憶する。
【００４８】
そして、第１制御部１１は、時間ｔ＝ｔ５に全てのスイッチ素子１３Ａ〜１３Ｃをオフして識別情報を伝送するための処理(プログラム)を終了する。第１スイッチ素子１３Ａと第２スイッチ素子１３Ｂと第３スイッチ素子１３Ｃが全てオフになると、全ての光源１０Ａ〜１０Ｃの抵抗１０５Ａ〜１０５Ｃに電流が流れなくなる。その結果、光源ユニット１のインピーダンスが時間ｔ＝ｔ２以前の値に戻るので、電源ユニット２の出力電圧Ｖ２も、電圧Ｖk4から電圧Ｖk1に復帰する。
【００４９】
第２制御部２０は、電圧検知回路２５で検知する出力電圧Ｖ２が初期の電圧Ｖk1に復帰すれば、第１制御部１１による識別情報の伝送処理が終了したと判断する。そして、第２制御部２０は、内蔵メモリに記憶している出力電圧Ｖ２の検知結果、すなわち、出力電圧Ｖ２が電圧Ｖk1から電圧Ｖk2、電圧Ｖk3、電圧Ｖk4へと変化するパターンに基づいて、光源ユニット１の特性を識別する。
【００５０】
つまり、第２制御部２０は、出力電圧Ｖ２が初期の電圧Ｖk1から３段階(電圧Ｖk2、Ｖk3、Ｖk4)に変化していることから、光源ユニット１が３つの光源１０Ａ〜１０Ｃを有しているという特性を知ることができる。さらに、第２制御部２０は、それぞれの電圧Ｖk2、Ｖk3、Ｖk4が維持されている時間に基づいて、例えば、各光源１０Ａ〜１０Ｃの定格電流値や光色などの別の特性を知ることができる。
【００５１】
そして、第２制御部２０は、光源１０Ａ〜１０Ｃの数に応じて、直流コンバータ回路２４を間欠的に動作させる周期(スイッチサイクル)を決定する。さらに、第２制御部２０は、各光源１０Ａ〜１０Ｃの定格電流値や光色に応じて、直流コンバータ回路２４を定電流制御する際の目標値(出力電流Ｉ２)を決定する。その後、第２制御部２０は、力率改善回路２３及び直流コンバータ回路２４を起動し、直流コンバータ回路２４を決定した目標値で定電流制御する。
【００５２】
また、光源ユニット１が２つの光源１０Ａ，１０Ｂしか有しない場合、第１制御部１１は、図４に示すように第１スイッチ素子１３Ａと第２スイッチ素子１３Ｂを順番にオンした後、双方とも同時にオフすることが好ましい。この場合も、第２制御部２０は、出力電圧Ｖ２が初期の電圧Ｖk1から２段階(電圧Ｖk2、Ｖk3)に変化していることから、光源ユニット１が２つの光源１０Ａ，１０Ｂを有しているという特性を知ることができる。なお、光源ユニット１が備える光源１０およびスイッチ素子１３の個数は１つあるいは４つ以上であっても構わない。また、ＬＥＤアレイ１０４Ａ〜１０４Ｃに並列接続される抵抗１０５Ａ〜１０５Ｃは、互いの抵抗値が等しくてもよいし、互いの抵抗値が異なっていても良い。これらの抵抗１０５Ａ〜１０５Ｃの抵抗値が互いに異なっていれば、出力電圧Ｖ２の変化を識別し易くすることもできる。
【００５３】
ここで、例えば、３つの光源１０Ａ〜１０Ｃが実装される基板に、２つの光源１０Ａ，１０Ｂのみが実装されることにより、２種類の光源ユニット１で前記基板を兼用し、製造コストの低減を図ることが好ましい。あるいは、各光源１０Ａ〜１０Ｃと回路部との電気的な接続がコネクタで行われても構わない。
【００５４】
上述のように本実施形態の光源装置(光源ユニット１)は、１乃至複数の光源部１０Ａ〜１０Ｃと、光源部１０Ａ〜１０Ｃに直列に接続される１乃至複数のスイッチ素子１３Ａ〜１３Ｃと、スイッチ素子１３Ａ〜１３Ｃをオン及びオフする第１制御部１１とを備える。光源部１０Ａ〜１０Ｃは、１乃至複数個の固体発光素子(発光ダイオード１００Ａ，…、１００Ｂ，…、１００Ｃ，…)を有する。第１制御部１１は、光源部１０Ａ〜１０Ｃに印加される直流電圧Ｖ２が所定のしきい値Ｖk1を超えた後、光源部１０Ａ〜１０Ｃの特性に対応した所定の順序でスイッチ素子１３Ａ〜１３Ｃをオン及びオフするように構成される。
【００５５】
また、本実施形態の点灯装置(電源ユニット２)は、電源部(直流コンバータ回路２４)と、第２制御部２０とを備える。電源部(直流コンバータ回路２４)は、光源装置(光源ユニット１)と電気的に接続されるように構成される。さらに、電源部(直流コンバータ回路２４)は、直流の出力電圧Ｖ２及び出力電流Ｉ２を可変とするように構成される。第２制御部２０は、電源部(直流コンバータ回路２４)を制御して、出力電圧Ｖ２及び出力電流Ｉ２を調整するように構成される。さらに、第２制御部２０は、光源装置(光源ユニット１)に印加される直流電圧Ｖ２が前記しきい値を超えた後、光源装置(光源ユニット１)に印加される直流電圧の電圧レベルの変化に基づいて、光源装置(光源ユニット１)の光源部１０Ａ〜１０Ｃの特性を知るように構成される。
【００５６】
本実施形態の光源装置(光源ユニット１)及び点灯装置(電源ユニット２)は上述のように構成され、スイッチ素子１３Ａ〜１３Ｃのオン、オフのパターンに起因した電圧変化で光源の特性を伝達するように構成される。そのため、従来例と比較して、光源１０Ａ〜１０Ｃの特性を識別する精度の向上を図ることができる。
【００５７】
さらに、本実施形態の光源装置(光源ユニット１)において、第１制御部１１は、前記順序でスイッチ素子１３Ａ〜１３Ｃをオン及びオフすることにより、光源部１０Ａ〜１０Ｃの特性に関する複数の情報を外部に出力するように構成されることが好ましい。なお、第１制御部１１は、前記情報として、光源部１０Ａ〜１０Ｃの個数と、各光源部１０Ａ〜１０Ｃの定格電流値とを外部に出力するように構成されることが好ましい。
【００５８】
従来例のように抵抗値で光源の特性を伝達する構成においては、複数の情報を正確に伝達することは困難であるが、本実施形態の光源装置(光源ユニット１)が上述のように構成されれば、複数の情報を正確に伝達することが可能である。
【００５９】
ところで、第１制御部１１は、図５に示すように何れか１つ(例えば、第１スイッチ素子１３Ａ)のみを先にオフし(時間ｔ＝ｔ５)、その後、残り２つのスイッチ素子１３Ｂ，１３Ｃを同時にオフしてもよい(時間ｔ＝ｔ６)。この場合、第２制御部２０は、出力電圧Ｖ２が初期の電圧Ｖk1から電圧Ｖk2、Ｖk3，Ｖk4，Ｖk3と変化するパターンに基づいて、各光源１０Ａ〜10Ｃの色温度などの特性を知ることができる。なお、第１制御部１１がスイッチ素子１３Ａ〜１３Ｃをオン・オフするパターンは上述の２つのパターンに限定されるものではない。
【００６０】
第２制御部２０は、出力電圧Ｖ２が初期の電圧Ｖk1に復帰した後(時間ｔ＝ｔ６)、光源１０Ａ〜１０Ｃの特性に対応したスイッチサイクル及び出力電流Ｉ２の目標値を決定する。そして、第２制御部２０は、時間ｔ＝ｔ７から、決定したスイッチサイクル及び出力電流Ｉ２の目標値に対応して、直流コンバータ回路２４を制御する。ただし、第２制御部２０は、第１制御部１１から伝達される光源１０の特性が不適合であると判断した場合、例えば、光源１０の個数が上限を超えている場合、力率改善回路２３及び直流コンバータ回路２４を停止したままとすることが好ましい。あるいは、第２制御部２０は、第１制御部１１から伝達される光源１０の特性が不適合であると判断した場合、直流コンバータ回路２４の目標値を通常よりも低い値に設定して出力電流Ｉ２を減少させてもよい。
【００６１】
本実施形態の点灯装置(電源ユニット２)において、第２制御部２０は、光源部１０の特性が不適合であると判断した場合、電源部(直流コンバータ回路２４)を制御して出力電圧Ｖ２及び出力電流Ｉ２を減少又は停止するように構成されることが好ましい。
【００６２】
本実施形態の点灯装置(電源ユニット２)が上述のように構成されれば、点灯装置(電源ユニット２)から、不適合な光源装置(光源ユニット１)へ給電されて正常に動作しない状況となることが回避できる。
【００６３】
本発明に係る照明器具の実施形態を図６に示す。
【００６４】
本実施形態の照明器具６は、天井１００に埋込配設されるダウンライトであって、光源ユニット１を内蔵した器具本体６０と、天井１００の裏側(上側)に設置される電源ユニット２とで構成される。
【００６５】
器具本体６０は、アルミダイカストなどの金属材料により下面が開口した有底円筒形状に形成される。器具本体６０の内底面にＬＥＤアレイ１０４Ａ〜１０４Ｃが取り付けられる。また、器具本体６０の下面の開口が円板状のカバー６１で閉塞される。なお、カバー６１は、ガラスやポリカーボネートなどの透光性材料で形成される。
【００６６】
電源ユニット２は、矩形箱状に形成された金属製のケースに収納されている。また、光源ユニット１と電源ユニット２は、電源ケーブル６２とコネクタ６３を介して電気的に接続される。
【符号の説明】
【００６７】
１  光源ユニット(光源装置)
２  電源ユニット(点灯装置)
１０Ａ〜１０Ｃ  光源部
１１  第１制御部
１３Ａ〜１３Ｃ  スイッチ素子
１０４Ａ〜１０４Ｃ  ＬＥＤアレイ(固体発光素子)
【図１】
2015170533.tif 000003
【図２】
2015170533.tif 000004
【図３】
2015170533.tif 000005
【図４】
2015170533.tif 000006
【図５】
2015170533.tif 000007
【図６】
2015170533.tif 000008